(57)【特許請求の範囲】
【請求項１】
前後両面の部材長手方向に案内溝がそれぞれ形成されている所要長さのスライドレールを一対、その案内溝形成部と交差する方向の一側面を二本以上の伸縮自在な切梁で相互に繋いで梯子状のスライドレールユニットを形成し、この一組目のスライドレールユニットを予掘した掘削溝に建て込み、掘進方向側の案内溝にパネルを挿入し、当該パネルの掘進方向側端部に二組目のスライドレールユニットの案内溝を挿入し、二組目のスライドレールユニットの掘進方向側案内溝にパネルを挿入し、以下同一作業を繰り返して土留めを行うスライドレール方式建込み簡易土留め工法において、
地上部に、支持部材を用いて一組のパネルを起立させ、
起立させた一組のパネルの溝掘進側の端部に、予掘した掘削溝に最初に建て込むスライドレールユニットの案内溝を挿入することを特徴とするスライドレール方式建込み簡易土留工法。
【請求項２】
前後両面の部材長手方向に案内溝がそれぞれ形成されている所要長さのスライドレールを一対、その案内溝形成部と交差する方向の一側面を二本以上の伸縮自在な切梁で相互に繋いで梯子状のスライドレールユニットを形成し、この一組目のスライドレールユニットを予掘した掘削溝に建て込み、掘進方向側の案内溝にパネルを挿入し、当該パネルの掘進方向側端部に二組目のスライドレールユニットの案内溝を挿入し、二組目のスライドレールユニットの掘進方向側案内溝にパネルを挿入し、以下同一作業を繰り返して土留めを行うスライドレール方式建込み簡易土留め工法において、
地上部に、支持部材を用いて一組のパネルを起立させ、
起立させた一組のパネルの溝掘進側と逆側の端部に、スライドレールユニットの案内溝を挿入し、
次いで前記一組のパネルの溝掘進側の端部に、予掘した掘削溝に最初に建て込むスライドレールユニットの案内溝を挿入することを特徴とするスライドレール方式建込み簡易土留工法。
【請求項３】
支持部材が底板に二本の柱部材を立設したものである請求項１又は請求項２に記載のスライドレール方式建込み簡易土留工法。
【発明の詳細な説明】
【技術分野】
【０００１】
本発明は、掘削溝の土留め先行工法およびその装置に関するものであり、より詳しくはスライドレールと土留めパネルと呼ばれる板状の矢板を用いるスライドレール方式建込み簡易土留工法に関する。
【背景技術】
【０００２】
小規模な溝掘削作業を伴う上下水道工事等においては、溝掘削作業及び溝内作業中における土砂崩壊に伴う労働災害を防ぐため、溝内での作業に先行して土留め支保工を設置するのが通常である。この土留め支保工を設置する方法として溝の掘削と板状の矢板の圧入を繰り返しながら支保工を組み立てる、スライドレール方式建込み簡易土留工法と呼ばれるものがある。
【０００３】
図１乃至図１０は、このスライドレール方式建込み簡易土留工法の手順を示すものである。予め地上で、一対のスライドレール１にカッター幅に合わせた複数の切梁２を取り付け、スライドレールユニット５を組み立てる。図１はこのスライドレールユニット５を、予掘りした掘削溝Ａに、図示されないバックホウで吊り下げ、建て込んだ状態を示すものである。
【０００４】
次いで、図２及び図３に示すように、一方のスライドレール１の案内溝１ａに掘進方向にむけて、バックホウで吊り下げた下パネル３を挿入する。更に図４及び図５に示すように、他方のスライドレール１の案内溝１ａに、バックホウで吊り下げた下パネル３を挿入する。
【０００５】
次いで、一対の下部パネル３に２組目のスライドレールユニット５を建て込み、箱形にした状態を示すのが図６である。箱形にした下部パネル３の内側を更に掘削して、下部パネル３を押し込み、次にスライドレールユニット５を交互に押し込む。この作業を繰り返して、下部パネル３を地表面付近まで沈下させた状態を示すのが図７である。
【０００６】
図８は地表面付近まで押し込んだ下部パネル３に、上部パネル４を継ぎ足した状態を示すものである。そして、下部パネル３及び上部パネル４を押し込み、次にスライドレールユニット５を交互に押し込む。この作業を繰り返して、上部パネル４を地表面付近まで沈下させた状態を示すのが図９である。
【０００７】
かようにして１組目の支保工を所定の掘削深さに設置したら、２組目の支保工の下部パネル３を、１組目の支保工の一方端スライドレール１の案内溝１ａに挿入し、次に掘進方向にスライドレールユニットを建て込む。上記図７、図８に示した下部パネル３の内側を更に掘削して、下部パネル３及び上部パネル４を押し込み、次にスライドレールユニット５を交互に押し込む。この作業を繰り返して、所定の掘削深まで沈下させた図９の解説に記載の作業を繰り返して２組目の土留を完了した状態を示すのが図１０である。３組目以降もこの作業を繰り返し、所定長さの建て込みを完了するものである。
【０００８】
特許文献１には、スライドレール方式建込み簡易土留工法を用いた防振ブロックの埋設工法が開示されている。
【０００９】
特許文献２にはスライドレールとパネルで構成される支保工ユニットを予掘り溝に吊り込み、次いでスライドレールの案内溝にパネルをはめ込むことで順次土留め支保工ユニットを掘削溝に接続設置していく工法及び装置が開示されている。
【先行技術文献】
【特許文献】
【００１０】
【特許文献１】特開２００９−１８００５４号公報
【特許文献２】特開２００６−７０４３７号公報
【発明の概要】
【発明が解決しようとする課題】
【００１１】
上述のスライドレール方式建込み簡易土留工法においては、図１に示される１組目のスライドレールユニットを予掘りした掘削溝Ａに、バックホウで吊り下げ建て込む作業が重要な意味を持つ。なぜなら、最初に建て込んだスライドレールユニットにより、掘進方向が決まるからである。それゆえ所定方向に掘進するためには、最初に建て込むスライドレールユニットの垂直性と掘進方向に対する方向性の位置決めを正確に行う必要がある。
【００１２】
ところが、土壁の崩壊の恐れがあることから、土留めが行われていない掘削溝内に作業者が入って作業を行うことは出来ない。それゆえ、ボックホウの操作と、地上での作業員によるスライドレールユニットの手作業による誘導で、微妙な位置決めを行うことになる。しかし、かかる作業は難易度が高く、正確な位置決めは困難である。
【００１３】
そこで本発明は、スライドレール方式建込み簡易土留工法における１組目のスライドレールユニットの位置決めを、容易且つ正確に行える工法を提供することを目的とする。
【課題を解決するための手段】
【００１４】
上記の目的を達成する本考案の構成は以下の通りである。
【００１５】
（１) 請求項１に記載の発明は、前後両面の部材長手方向に案内溝がそれぞれ形成されている所要長さのスライドレールを一対、その案内溝形成部と交差する方向の一側面を二本以上の伸縮自在な切梁で相互に繋いで梯子状のスライドレールユニットを形成し、この一組目のスライドレールユニットを予掘した掘削溝に建て込み、掘進方向側の案内溝にパネルを挿入し、当該パネルの掘進方向側端部に二組目のスライドレールユニットの案内溝を挿入し、二組目のスライドレールユニットの掘進方向側案内溝にパネルを挿入し、以下同一作業を繰り返して土留めを行うスライドレール方式建込み簡易土留め工法において、地上部に、支持部材を用いて一組のパネル起立させ、この一組のパネルの溝掘進側の端部に、予掘した掘削溝に最初に建て込むスライドレールユニットの案内溝を挿入する工程により構成される。
【００１６】
（２) 請求項２に記載の発明は、前後両面の部材長手方向に案内溝がそれぞれ形成されている所要長さのスライドレールを一対、その案内溝形成部と交差する方向の一側面を二本以上の伸縮自在な切梁で相互に繋いで梯子状のスライドレールユニットを形成し、この一組目のスライドレールユニットを予掘した掘削溝に建て込み、掘進方向側の案内溝にパネルを挿入し、当該パネルの掘進方向側端部に二組目のスライドレールユニットの案内溝を挿入し、二組目のスライドレールユニットの掘進方向側案内溝にパネルを挿入し、以下同一作業を繰り返して土留めを行うスライドレール方式建込み簡易土留め工法において、地上部に、支持部材を用いて一組のパネル起立させる工程と、この一組のパネルの溝掘進側と逆側の端部に、スライドレールユニットの案内溝を挿入する工程と、次いで前記一組のパネルの溝掘進側の端部に、予掘した掘削溝に最初に建て込むスライドレールユニットの案内溝を挿入する工程とにより構成される。
【００１７】
（３) 請求項３に記載の発明は、 請求項１又は請求項２に記載のスライドレール方式建込み簡易土留工法において、支持部材を底板に二本の柱部材を立設して構成した。
【発明の効果】
【００１８】
上記のように構成される本発明が、如何に作用して課題を解決するかを図面を参照しながら概説する。
【００１９】
請求項１に記載の工法においては、予掘された掘削溝にスライドレールユニットを建て込む前に、図１２に示されるように、予掘された掘削溝Ａに隣接した地上部において、支持部材２０を用いて起立させたパネル１０により形成した一組のガイド部材を設置する。そのうえで、図１３に示すようにパネル１０の掘進方向側端部に、掘削溝Ａに最初に建て込むスライドレールユニット５を構成するスライドレール１の案内溝１aを挿入し、建て込む作業を行うものである。
【００２０】
上記の通り、最初に建て込んだこのスライドレールユニット５の、垂直性と掘進方向に対する方向性の位置決めを正確に行う必要がある。
【００２１】
そこでガイド部材を構成するパネル１０の、掘進方向側端部が垂直になるよう、支持部材２０で起立させるものであるが、この作業は掘削溝内ではなく地上で行うことが可能であり、バックホウによる吊下げと、作業員による手作業よる誘導で容易に行うことが可能となる。同じくパネル１０を掘進方向に正確に位置決めすることも、掘削溝内ではなく地上で行うことが可能であり、容易且つ正確に行うことが可能となる。
【００２２】
請求項２に記載の工法においては、予掘された掘削溝にスライドレールユニットを建て込む前に、図１６に示されるように、予掘された掘削溝Ａに隣接した地上部において、支持部材２０を用いて起立させたパネル１０の掘進方向逆側端部に、スライドレールユニット４０を構成するスライドレール３０の案内溝３１を挿入して形成した一組のガイド部材を設置する。そのうえで、図１７に示すようにパネル１０の掘進方向側端部に、掘削溝Ａに最初に建て込むスライドレールユニット５を構成するスライドレール１の案内溝１aを挿入し、建て込む作業を行うものである。
【００２３】
上記の通り、最初に建て込んだこのスライドレールユニット５の、垂直性と掘進方向に対する方向性の位置決めを正確に行う必要がある。
【００２４】
そこでガイド部材を構成するパネル１０の、掘進方向側端部が垂直になるよう、支持部材２０で起立させるものであるが、この作業は掘削溝内ではなく地上で行うことが可能であり、バックホウによる吊下げと、作業員による手作業よる誘導で容易に行うことが可能となる。同じくパネル１０を掘進方向に正確に位置決めすることも、掘削溝内ではなく地上で行うことが可能であり、容易且つ正確に行うことが可能となる。
【００２５】
また、起立させたパネル１０の掘進方向逆側端部に、スライドレールユニット４０を構成するスライドレール３０の案内溝３１を挿入することで、掘削溝のカッター幅に合わせて正確に一対のパネル１０を設置することが可能となる。スライドレールユニット４０を構成するスライドレール３０の案内溝３１をパネル１０に挿入し嵌め込むことで、一対のパネルを安定して支持することも可能となる。
【００２６】
かように、一対のパネル１０とスライドレールユニット４０より成るガイド部材は、掘削溝内ではなく地上で容易に組み立てることが可能であり、パネル１０の正確な位置決めで、掘削溝Ａに最初に建て込むスライドレールユニット５の正確な位置決めが可能となることから、本発明によればスライドレール方式建込み簡易土留工法における１組目のスライドレールユニット５の位置決めを、容易且つ正確に行える工法を提供することが可能となるのである。
【図面の簡単な説明】
【００２７】
【図１】スライドレール方式建込み簡易土留工法の工程説明図
【図２】スライドレール方式建込み簡易土留工法の工程説明図
【図３】スライドレール方式建込み簡易土留工法の工程説明図
【図４】スライドレール方式建込み簡易土留工法の工程説明図
【図５】スライドレール方式建込み簡易土留工法の工程説明図
【図６】スライドレール方式建込み簡易土留工法の工程説明図
【図７】スライドレール方式建込み簡易土留工法の工程説明図
【図８】スライドレール方式建込み簡易土留工法の工程説明図
【図９】スライドレール方式建込み簡易土留工法の工程説明図
【図１０】スライドレール方式建込み簡易土留工法の工程説明図
【図１１】本発明の工程説明図
【図１２】本発明の工程説明図
【図１３】本発明の工程説明図
【図１４】本発明の工程説明図
【図１５】本発明の工程説明図
【図１６】本発明の工程説明図
【図１７】本発明の工程説明図
【図１８】本発明の工程説明図
【図１９】スライドレールユニットの斜視図
【図２０】支持部材の斜視図
【発明を実施するための形態】
【００２８】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 また、従来例と同じ部材に関しては同一符号を用いている。
【００２９】
本発明は、背景技術の項目で記載した一般的なスライドレール方式建込み簡易土留工法における、掘削溝に最初に建込むスライドレールユニットの位置決めに関するものである。
【００３０】
請求項１に記載の発明においては、まず図１１に示すように、地表面に予め掘削溝のカッター幅に応じた間隔で置かれた一対の支持部材２０に、一対のパネル１０を図示されないバックホウ等で吊り下げ、嵌めこみ起立させる。
【００３１】
このようにして形成した一対のパネル１０より成るガイド部材５１の近傍に掘削溝を予掘し、あるいは予掘した掘削溝の近傍に、ガイド部材５１を設置した状態を示すのが図１２である。
【００３２】
かかる状態から、図１３に示すようにパネル１０の掘削方向端部に、背景技術に記載の、一般的なスライドレール方式建込み簡易土留工法に用いられるスライドレールユニット５を嵌め込み、掘削溝Ａに建て込むものである。具体的にはスライドレールユニット５をバックホウ等で吊り下げ、スライドレール１の案内溝１ａにパネル１０の端部を挿入し嵌め込むものである。
【００３３】
以上の工程で、１組目のスライドレールユニット５を予掘りした掘削溝Ａに建て込む作業が完了するものである。以下は背景技術において図１乃至図１０を参照しながら概説した、一般的なスライドレール方式建込み簡易土留工法を用いて土留め作業を完了するものである。
【００３４】
請求項２に記載の発明においては、まず図１１に示すように、地表面に予め掘削溝のカッター幅に応じた間隔で置かれた一対の支持部材２０に、一対のパネル１０を図示されないバックホウ等で吊り下げ、嵌めこみ起立させる。
【００３５】
次いで図１５に示すように、スライドレール３０にカッター幅に合わせた複数の切梁２を取り付けて形成した梯子状のスライドレールユニット４０を、パネル１０の掘進方向逆側端部に嵌め込む。より詳しくはスライドレール３０の案内溝３１にパネル１０をはめ込むものである。
【００３６】
このようにして形成したスライドレールユニット４０及びパネル１０より成るガイド部材５０の近傍に掘削溝を予掘し、あるいは予掘した掘削溝の近傍に、ガイド部材５０を設置した状態を示すのが図１６である。
【００３７】
かかる状態から、図１７に示すようにパネル１０の掘削方向端部に、背景技術に記載の、一般的なスライドレール方式建込み簡易土留工法に用いられるスライドレールユニット５を嵌め込み、掘削溝Ａに建て込むものである。具体的にはスライドレールユニット５をバックホウ等で吊り下げ、スライドレール１の案内溝１ａにパネル１０の端部を挿入し嵌め込むものである。
【００３８】
以上の工程で、１組目のスライドレールユニット５を予掘りした掘削溝Ａに建て込む作業が完了するものである。以下は背景技術において図１乃至図１０を参照しながら概説した、一般的なスライドレール方式建込み簡易土留工法を用いて土留め作業を完了するものである。
【００３９】
図１９に示されるように、スライドレールユニット４０は、前後両面の部材長手方向に案内溝３１がそれぞれ形成されている所要長さのスライドレール３０を一対、その案内溝形成部と交差する方向の一側面を二本以上の伸縮自在な切梁２で相互に繋いで梯子状に形成されるものである。
【００４０】
すなわちスライドレール３０，３０は、案内溝３１を備えていない側面３２を相対向させて、少なくとも二本の切梁２を上下に所要の間隔で配して連結され、梯子状に組み立てられるものである。
【００４１】
ここで使用される切梁２は、ターンバックル構造にされており、両端部を前記のスライドレール３０，３０の側面３２，３２に固着されている。また、ターンバックル構造に替えてジャッキ形式の切梁でも使用可能なものである。
【００４２】
また、スライドレール３０の所定位置に装着用のブラケット３３が設けられ、この装着用のブラケット３３に切梁２の基端が嵌められて、ピンなどによって着脱可能に固定できるような構造とされる。
【００４３】
スライドレール３０は従来例におけるスライドレール１の長手方向高さを、短くしたものである。すなわち、構造材を組合わせてパネル１０を支持可能な長さに形成され、使用時における前後方向の両面に案内溝３１がそれぞれ形成されている。この実施形態ではリップ溝形鋼をウェブ表面側を重ね合わせて一体形状にされ、その内側が案内溝３１となるように形成されている。したがって、案内溝３１はリップ部分３１ａ，３１ａ間が開口部となる構造である。なお、このスライドレール３０は、かかる実施形態に限定されるものではなく、他の部材を使用して所要断面強度が得られ、かつ前後位置あるいは前後どちらか一方に、後述するパネル１０の端部を嵌め込み保持できる案内溝が形成されるものであればよい。
【００４４】
パネル１０は、一般的な土留め支保工に用いられれる土留め用パネルを利用可能であり、所要土圧に対応する強度を与えられた鋼材による複合構造を備えるものである。
【００４５】
支持部材２０は、図２０に示されるように底板２１に、パネル１０を嵌め込むための所要間隔をあけた二本の縦板２２，２２を垂直方向に固着したものである。むろんこれは一例であり、パネル１０を嵌めこみ起立させることが可能なものであれば任意の形態のものを使用できる。例えば底板に複数本の支持棒、を垂直方向に立設したものなどでも良い。
【符号の説明】
【００４６】
１０・・パネル
２０・・支持部材
３０・・スライドレール
【要約】
【目的】スライドレール方式建込み簡易土留工法における１組目のスライドレールユニットの位置決めを、容易且つ正確に行える工法を提供すること。
【構成】スライドレールを繋いで梯子状のスライドレールユニットを形成し、このスライドレールユニットを掘削溝に建て込み、掘進方向側の案内溝にパネルを挿入し、当該パネルの掘進方向側端部に次のスライドレールユニットの案内溝を挿入し、このスライドレールユニットの掘進方向側案内溝にパネルを挿入し、以下同一作業を繰り返して土留めを行う土留め工法において、地上部に、支持部材を用いて一組のパネル起立させる工程と、この一組のパネルの溝掘進側と逆側の端部に、スライドレールユニットの案内溝を挿入する工程と、次いで前記一組のパネルの溝掘進側の端部に、予掘した掘削溝に最初に建て込むスライドレールユニットの案内溝を挿入する工程とにより構成される。
【選択図】        図１８【図１】
0005976976.tif 000002
【図２】
0005976976.tif 000003
【図３】
0005976976.tif 000004
【図４】
0005976976.tif 000005
【図５】
0005976976.tif 000006
【図６】
0005976976.tif 000007
【図７】
0005976976.tif 000008
【図８】
0005976976.tif 000009
【図９】
0005976976.tif 000010
【図１０】
0005976976.tif 000011
【図１１】
0005976976.tif 000012
【図１２】
0005976976.tif 000013
【図１３】
0005976976.tif 000014
【図１４】
0005976976.tif 000015
【図１５】
0005976976.tif 000016
【図１６】
0005976976.tif 000017
【図１７】
0005976976.tif 000018
【図１８】
0005976976.tif 000019
【図１９】
0005976976.tif 000020
【図２０】
0005976976.tif 000021